(57)【要約】    【課題】  薄型のヨーク構造を採用した回転円板形記憶装置を提供する。    【解決手段】  ボイス・コイル・モータのヨーク構造は、強磁性材料で形成されたケーシングのベース５２ｃと、ベース５２ｃに磁気的に結合されるように配置された補助ヨーク７７と、補助ヨークの表面に磁気的に結合されるように配置されたマグネット８１と、補助ヨークに磁気的に結合されるヨーク脚７５ａ、７５ｃとマグネットの表面に対向する対向面とを備えた主ヨーク７３とで構成される。ヨーク・ギャップ７６が対向面とマグネットの表面との間に形成される。ベースと補助ヨークが磁路となり、下部の専用ヨークを排除することができる。【選択図】      図５
2005085436.tif 000002
【特許請求の範囲】
【請求項１】
回転円板形記録媒体と、
前記回転円板形記録媒体からデータの読み取りを行うヘッドを備えたアクチュエータ・ヘッド・サスペンション・アセンブリと、
強磁性材料で形成された第１のヨーク領域を備えたケーシング本体と、
強磁性材料で形成された第２のヨーク領域を備え前記第１のヨーク領域と磁気的に結合されたケーシング蓋と、
前記第１のヨーク領域又は前記第２のヨーク領域のいずれか一方に磁気的に結合されるように配置されたマグネットと、
前記アクチュエータ・ヘッド・サスペンション・アセンブリに保持され前記マグネットと前記第１のヨーク領域又は前記第２のヨーク領域のいずれかとの間に形成されたヨーク・ギャップに配置されるコイルと
を有する回転円板形記憶装置。
【請求項２】
前記第１のヨーク領域又は前記第２のヨーク領域のいずれか一方が他の領域より厚く形成された請求項１記載の回転円板形記憶装置。
【請求項３】
前記第１のヨーク領域及び前記第２のヨーク領域がともに他の領域よりも厚く形成された請求項１記載の回転円板形記憶装置。
【請求項４】
さらに、前記第１のヨーク領域又は前記第２のヨーク領域のいずれか一方に磁気的に結合されるように配置された補助ヨークと、前記第１のヨーク領域と前記第２のヨーク領域とを磁気的に結合することに代え又は磁気的に結合することと共に前記補助ヨークと前記第１のヨーク領域又は前記第２のヨーク領域のいずれか他方とを磁気的に結合する連絡ヨークとを備え、前記マグネットが前記補助ヨークに磁気的に結合されるように配置された請求項１記載の回転円板形記憶装置。
【請求項５】
前記マグネットが前記第１のヨーク領域又は前記第２のヨーク領域のいずれかに磁気的に結合されるように配置された請求項４記載の回転円板形記憶装置。
【請求項６】
前記第１のヨーク領域又は前記第２のヨーク領域のいずれか一方が他の領域よりも厚く形成され、さらに、前記第１のヨーク領域又は前記第２のヨーク領域のいずれか他方に磁気的に結合されるように配置された補助ヨークと、前記第１のヨーク領域と前記第２のヨーク領域とを磁気的に結合することに代え又は磁気的に結合することと共に前記補助ヨークと前記厚く形成された第１のヨーク領域又は前記厚く形成された第２のヨーク領域のいずれかとを磁気的に結合する連絡ヨークを備え、前記マグネットが前記補助ヨークに磁気的に結合されるように配置された請求項１記載の回転円板形記憶装置。
【請求項７】
前記マグネットが前記厚く形成された第１のヨーク領域又は前記厚く形成された第２のヨーク領域のいずれかに磁気的に結合されるように配置された請求項６記載の回転円板形記憶装置。
【請求項８】
さらに、前記第１のヨーク領域及び前記第２のヨーク領域にそれぞれ磁気的に結合されるように配置された第１の補助ヨーク及び第２の補助ヨークと、前記第１のヨーク領域と前記第２のヨーク領域とを磁気的に結合することに代え又は磁気的に結合することと共に前記第１の補助ヨークと前記第２の補助ヨークとを磁気的に結合する連絡ヨークとを備え、前記マグネットが前記第１の補助ヨーク又は前記第２の補助ヨークのいずれかに磁気的に結合されるように配置された請求項１記載の回転円板形記憶装置。
【請求項９】
回転円板形記録媒体と、
前記回転円板形記録媒体からデータの読み取りを行うヘッドを備えたアクチュエータ・ヘッド・サスペンション・アセンブリと、
強磁性材料で形成された第１のヨーク領域を備えたケーシング本体と、
強磁性材料で形成された第２のヨーク領域を備え前記第１のヨーク領域と磁気的に結合されたケーシング蓋と、
前記第１のヨーク領域及び前記第２のヨーク領域のそれぞれに磁気的に結合されるように配置された第１のマグネット及び第２のマグネットと、
前記アクチュエータ・ヘッド・サスペンション・アセンブリに保持され前記第１のマグネットと前記第２のマグネットの間に形成されたヨーク・ギャップに配置されるコイルと
を有する回転円板形記憶装置。
【請求項１０】
前記第１のヨーク領域又は前記第２のヨーク領域のいずれか一方が他の領域より厚く形成された請求項９記載の回転円板形記憶装置。
【請求項１１】
前記第１のヨーク領域及び前記第２のヨーク領域がともに他の領域よりも厚く形成された請求項９記載の回転円板形記憶装置。
【請求項１２】
さらに、前記第１のヨーク領域又は前記第２のヨーク領域のいずれか一方に磁気的に結合されるように配置された補助ヨークと、前記第１のヨーク領域と前記第２のヨーク領域とを磁気的に結合することに代え又は磁気的に結合することと共に前記補助ヨークと前記第１のヨーク領域又は前記第２のヨーク領域のいずれか他方とを磁気的に結合する連絡ヨークとを備え、前記第１のマグネット又は前記第２のマグネットのいずれか一方が前記補助ヨークに磁気的に結合されるように配置された請求項９記載の回転円板形記憶装置。
【請求項１３】
前記第１のヨーク領域又は前記第２のヨーク領域のいずれか一方が他の領域よりも厚く形成され、さらに、前記第１のヨーク領域又は前記第２のヨーク領域のいずれか他方に磁気的に結合されるように配置された補助ヨークと、前記第１のヨーク領域と前記第２のヨーク領域とを磁気的に結合することに代え又は磁気的に結合することと共に前記補助ヨークと前記厚く形成された第１のヨーク領域又は前記厚く形成された第２のヨーク領域のいずれかとを磁気的に結合する連絡ヨークを備え、前記第１のマグネット及び前記第２のマグネットが前記補助ヨーク又は、前記厚く形成された第１のヨーク領域又は前記厚く形成された第２のヨーク領域のいずれかに磁気的に結合されるように配置された請求項１記載の回転円板形記憶装置。
【請求項１４】
さらに、前記第１のヨーク領域及び前記第２のヨーク領域にそれぞれ磁気的に結合されるように配置された第１の補助ヨーク及び第２の補助ヨークと、前記第１のヨーク領域と前記第２のヨーク領域とを磁気的に結合することに代え又は磁気的に結合することと共に前記第１の補助ヨークと前記第２の補助ヨークとを磁気的に結合する連絡ヨークとを備え、前記第１のマグネットが前記第１の補助ヨークに磁気的に結合されるように配置され前記第２のマグネットが前記第２の補助ヨークに磁気的に結合されるように配置された請求項９記載の回転円板形記憶装置。
【請求項１５】
回転円板形記録媒体と、
前記回転円板形記録媒体からデータの読み取りを行うヘッドを備えたアクチュエータ・ヘッド・サスペンション・アセンブリと、
強磁性材料で形成されたヨーク領域を備えたケーシング本体と、
前記ケーシング本体のヨーク領域に磁気的に結合されるように配置された補助ヨークと、
前記補助ヨークに磁気的に結合されるように配置されたマグネットと、
前記補助ヨークに磁気的に結合されるヨーク脚と前記マグネットに対向する対向面とを備えた主ヨークと、
前記アクチュエータ・ヘッド・サスペンション・アセンブリに保持され前記主ヨークの対向面と前記マグネットとの間に形成されたヨーク・ギャップに配置されるコイルと
を有する回転円板形記憶装置。
【請求項１６】
前記マグネットが前記主ヨークの対向面に磁気的に結合されるように配置される請求項１５記載の回転円板形記憶装置。
【請求項１７】
さらに、他のマグネットが前記主ヨークの対向面に磁気的に結合されるように配置される請求項１５記載の回転円板形記憶装置。
【請求項１８】
前記補助ヨークに代えて前記ヨーク領域を他の領域よりも厚く形成し、前記マグネットが前記厚く形成されたヨーク領域に磁気的に結合されるように配置される請求項１７記載の回転円板形記憶装置。
【請求項１９】
前記マグネットが前記主ヨークの対向面に磁気的に結合されるように配置される請求項１８記載の回転円板形記憶装置。
【請求項２０】
さらに、他のマグネットが前記主ヨークの対向面に磁気的に結合されるように配置される請求項１８記載の回転円板形記憶装置。
【請求項２１】
前記ヨーク脚が複数備えられ、該複数のヨーク脚が前記補助ヨーク又は厚く形成された領域の側部に勘合する請求項１５〜請求項２０のいずれかに記載の回転円板形記憶装置。
【請求項２２】
回転円板形記録媒体と、
前記回転円板形記録媒体からデータの読み取りを行うヘッドを備えたアクチュエータ・ヘッド・サスペンション・アセンブリと、
強磁性材料で形成された第１のヨーク領域を備えたケーシング本体と、
強磁性材料で形成された第２のヨーク領域を備え前記第１のヨーク領域と前記第２のヨーク領域とが磁気回路を形成するケーシング蓋と、
前記第１のヨーク領域又は前記第２のヨーク領域のいずれか一方に接触するように配置されたマグネットと、
前記アクチュエータ・ヘッド・サスペンション・アセンブリに保持され前記マグネットと前記第１のヨーク領域又は前記第２のヨーク領域のいずれかとの間に形成されたヨーク・ギャップに配置されるコイルと
を有する回転円板形記憶装置。
【請求項２３】
回転円板形記録媒体と、
前記回転円板形記録媒体からデータの読み取りを行うヘッドを備えたアクチュエータ・ヘッド・サスペンション・アセンブリと、
強磁性材料で形成された第１のヨーク領域を備えたケーシング本体と、
強磁性材料で形成された第２のヨーク領域を備え前記第１のヨーク領域と前記第２のヨーク領域とが磁気回路を形成するケーシング蓋と、
前記第１のヨーク領域及び前記第２のヨーク領域のそれぞれに接触するように配置された第１のマグネット及び第２のマグネットと、
前記アクチュエータ・ヘッド・サスペンション・アセンブリに保持され前記第１のマグネットと前記第２のマグネットの間に形成されたヨーク・ギャップに配置されるコイルと
を有する回転円板形記憶装置。
【請求項２４】
回転円板形記録媒体と、
前記回転円板形記録媒体からデータの読み取りを行うヘッドを備えたアクチュエータ・ヘッド・サスペンション・アセンブリと、
強磁性材料で形成されたヨーク領域を備えたケーシング本体と、
前記ケーシング本体のヨーク領域に接触するように配置された補助ヨークと、
前記補助ヨークに接触するように配置されたマグネットと、
前記補助ヨークに接触するヨーク脚と前記マグネットに対向する対向面とを備えた主ヨークと、
前記アクチュエータ・ヘッド・サスペンション・アセンブリに保持され前記主ヨークの対向面と前記マグネットとの間に形成されたヨーク・ギャップに配置されるコイルと
を有する回転円板形記憶装置。
【発明の詳細な説明】
【技術分野】
【０００１】
本発明は磁気ディスク装置、光磁気ディスク装置等の回転円板形記憶装置に関し、さらに詳細にはヘッドを記録媒体に位置付けるアクチュエータの駆動機構に特徴のある回転円板形記憶装置に関するものである。
【背景技術】
【０００２】
磁気ディスク装置は、近年携帯機器における利用が進展し小型化、薄型化が一層望まれている。また、個々の構成部品に対するコストダウンの要求も強い。磁気ディスク装置では、回転する磁気ディスクに対してデータの読み書きを行うヘッドを支持し所定の位置に位置付けるアクチュエータが採用されている。アクチュエータの駆動機構としては、コイルとマグネットとヨークとで構成されるボイス・コイル・モータ（ＶＣＭ）が知られている。
【０００３】
特許文献１の図５には、典型的なＶＣＭの構造が示されている。これを図１に示す。
【０００４】
図１（Ａ）に示すように、キャリッジ１７の先端部には磁気ヘッド１４が取り付けられ、キャリッジの後端部にはコイル１８が取り付けられている。図１（Ａ）のＡ−Ａ断面によるＶＣＭ１５の断面構造が図１（Ｂ）に示されている。ベース１３の取付面１３ｂ’には平板状に形成された下部ヨーク２が取り付けられ、支柱１ａで下部ヨーク２に取り付けられた上部ヨーク１と共に磁路を形成している。
【０００５】
下部ヨークと上部ヨークの対向するそれぞれの面には、対向マグネット３が取り付けられている。対向マグネット３の間にはギャップ４が形成され、マグネットで生成された磁束は、ギャップと下部ヨークと上部ヨークで構成される磁気回路を通る。ギャップの中にはコイル１８が自由に移動できるように配置され、コイルに電流を流すことで、キャリッジ１７は水平方向の駆動力を得る。ベース１３は一般的に製造のし易さ等からアルミニウム・ダイカストで製作されている。
【０００６】
【特許文献１】特開平１１−１８５４１２号公報
【発明の開示】
【発明が解決しようとする課題】
【０００７】
特許文献１に示したように、従来のＶＣＭでは、ギャップに磁界を形成するための磁束の通路となる磁気回路が、上部ヨークと下部ヨークとで構成されていた。磁気ディスク装置は、今後、携帯機器へ一層普及させていく等の理由でコスト低減が強く望まれており、ケーシングをアルミニウム・ダイカストから、鉄の板材をプレス加工で成型する手法が検討されている。また、より一層の薄型化を実現するためにＶＣＭのヨーク回路の部品点数を削減することも検討されている。
【０００８】
そこで本発明の目的は、磁気ディスク装置、光磁気ディスク装置等の回転円板形記憶装置において、アクチュエータの駆動用モータに使用するヨーク構造から専用のヨークを取り去って薄型化及び部品点数の削減を実現した回転円板形記憶装置を提供することを目的とする。
【課題を解決するための手段】
【０００９】
本発明の原理は、回転円板形記憶装置のアクチュエータ駆動機構に使用されるモータのヨーク構造にケーシングを使用し、専用のヨークを排除したり、専用のヨークより薄い補助ヨークを使用して、部品点数の削減と装置の薄型化を実現することにある。
【００１０】
本発明の第１の態様では、回転円板形記録媒体と、前記回転円板形記録媒体からデータの読み取りを行うヘッドを備えたアクチュエータ・ヘッド・サスペンション・アセンブリと、強磁性材料で形成された第１のヨーク領域を備えたケーシング本体と、強磁性材料で形成された第２のヨーク領域を備え前記第１のヨーク領域と磁気的に結合されたケーシング蓋と、前記第１のヨーク領域又は前記第２のヨーク領域のいずれか一方に磁気的に結合されるように配置されたマグネットと、前記アクチュエータ・ヘッド・サスペンション・アセンブリに保持され前記マグネットと前記第１のヨーク領域又は前記第２のヨーク領域のいずれかとの間に形成されたヨーク・ギャップに配置されるコイルとを有する回転円板形記憶装置を提供する。
【００１１】
本発明の第２の態様は、回転円板形記録媒体と、前記回転円板形記録媒体からデータの読み取りを行うヘッドを備えたアクチュエータ・ヘッド・サスペンション・アセンブリと、強磁性材料で形成された第１のヨーク領域を備えたケーシング本体と、強磁性材料で形成された第２のヨーク領域を備え前記第１のヨーク領域と磁気的に結合されたケーシング蓋と、前記第１のヨーク領域及び前記第２のヨーク領域のそれぞれに磁気的に結合されるように配置された第１のマグネット及び第２のマグネットと、前記アクチュエータ・ヘッド・サスペンション・アセンブリに保持され前記第１のマグネットと前記第２のマグネットの間に形成されたヨーク・ギャップに配置されるコイルとを有する回転円板形記憶装置を提供する。
【００１２】
本発明の第３の態様は、回転円板形記録媒体と、前記回転円板形記録媒体からデータの読み取りを行うヘッドを備えたアクチュエータ・ヘッド・サスペンション・アセンブリと、強磁性材料で形成されたヨーク領域を備えたケーシング本体と、前記ケーシング本体のヨーク領域に磁気的に結合されるように配置された補助ヨークと、前記補助ヨークに磁気的に結合されるように配置されたマグネットと、前記補助ヨークに磁気的に結合されるヨーク脚と前記マグネットに対向する対向面とを備えた主ヨークと、前記アクチュエータ・ヘッド・サスペンション・アセンブリに保持され前記主ヨークの対向面と前記マグネットとの間に形成されたヨーク・ギャップに配置されるコイルとを有する回転円板形記憶装置を提供する。
【００１３】
第１のヨーク領域及び第２のヨーク領域は、アクチュエータ・ヘッド・サスペンション・アセンブリを駆動するためのモータの磁気回路に適合する構成を備える。第１のヨーク領域と第２のヨーク領域とは、ケーシング本体の壁部で磁気的に結合してもよく、また、連絡ヨークで磁気的に結合してもよい。磁気的な結合とは、アクチュエータ・ヘッド・サスペンション・アセンブリを駆動するモータの磁気回路に適した磁束を通過させることができる態様で結合されていることを意味する。
【００１４】
マグネットは第１のヨーク領域の内面と第２のヨーク領域の内面の双方に磁気的に結合されるように取り付けることができる。この構成によりヨーク・ギャップに発生する磁界強度を向上させてコイルに一層大きな駆動力を得ることができる。また、第１のヨーク領域及び第２のヨーク領域又はそのいずれか一方に他の領域より厚くした領域を設けることができる。この構成により、ケーシング本体又はケーシング蓋の板厚をヨーク領域だけ厚くして、その他の部分は薄くでき、装置の薄型化、材料の節約、軽量化を図ることができる。
【００１５】
補助ヨークは、単独では磁気回路として機能しないが、第１のヨーク領域又は第２のヨーク領域と共に磁束の通路となることで磁気回路を形成することができ、専用のヨークの厚さとケーシングの厚さを加えた寸法よりも第１のヨーク領域の厚さ又は第２のヨーク領域の厚さと補助ヨークの厚さを加えた寸法の方が小さくでき、装置の薄型化を図ることができる。主ヨークはそれ自体単独で磁気回路として機能するので、ケーシング本体及びケーシング蓋は強磁性材料で形成してもよく、また、非磁性材料で形成してもよい。
【発明の効果】
【００１６】
アクチュエータの駆動用モータに使用するヨーク構造から専用のヨークを取り去り、ヨーク構造の高さを低くし、薄型化を実現した回転円板形記憶装置を提供することができた。さらにヨーク構造の部品点数を削減した回転円板形記憶装置を提供することができた。
【発明を実施するための最良の形態】
【００１７】
図２に本発明を実施するための最良の形態に係る磁気ディスク装置５０の概略平面を示す。本出願に係る図面の全体に渡って同一の構成要素には同一参照番号を付すことにする。磁気ディスク装置５０は全体がケーシング本体５２及びケーシング蓋５４（図３参照）で覆われている。ケーシング本体５２は、強磁性材料である一般冷延鋼板（ＳＰＣＥ）をプレス加工して成型されている。
【００１８】
ケーシング本体５２は磁気ディスク装置の構成要素に取付面を提供するベースと側壁とで構成され、側壁にケーシング蓋が取り付けられる。ケーシング蓋は非磁性体であるアルミニウムの薄板で製作されているが、本実施の形態においては、ケーシング蓋を強磁性材料で製作してもよい。さらに、ケーシング本体及びケーシング蓋の材質に関しては他の実施の形態で示すように様々な選定方法がある。
【００１９】
磁気ディスク５１は、ケーシング本体５２のベースに立設されたスピンドル軸５３の周りを回転するように支持されている。アクチュエータ・ヘッド・サスペンション・アセンブリ５８は、ヘッド・サスペンション・アセンブリ（ＨＳＡ）５５とアクチュエータ・アセンブリ５７とで構成される。ＨＳＡ５５の先端部には、磁気ディスクに対するデータの読み取り及び書き込み又はそのいずれか一方を行うためのヘッド５９が設けられている。
【００２０】
アクチュエータ・アセンブリ５７は、ＨＳＡ５５を支持するアクチュエータ・アーム、ピボット軸６１の軸受け部分、及びボイス・コイル・モータ６７とで構成されている。ボイス・コイル・モータ６７は、コイル・サポート６９とコイル・サポート６９に保持されたボイス・コイル７１とヨーク（図３〜図５参照）とで構成される。ボイス・コイル・モータの構造はさらに図３〜図５を参照して詳細に説明する。
【００２１】
ランプ５６は、磁気ディスク５１の回転を停止させる際、ＨＳＡ５５の先端に設けられたマージ・リップ（図示せず）に摺動面を提供してヘッド／スライダを退避させる機能を果たす。ヘッド５９からの信号線はフレキシブル・ケーブル（ＦＰＣ）６３を経由して半導体装置６５に接続されている。
【００２２】
図３は、磁気ディスク装置５０の組立図である。ケーシング蓋５４は、ケーシング本体５２に取り付けられ、内部に密閉空間を形成する。ケーシング蓋５４の下部には、主ヨーク７３が、ケーシング本体５２から取り外された状態で示されている。従って、ケーシング本体側には、コイル・サポート６９、コイル・サポートに保持されたボイス・コイル７１、ボイス・コイル・マグネット８１及び補助ヨーク７７が露出してみえる。主ヨーク７３には、３つのヨーク脚７５ａ〜７５ｃが主ヨークの折り曲げ加工により形成されている。
【００２３】
主ヨーク７３及び補助ヨーク７７は、強磁性材料である一般冷延鋼板（ＳＰＣＣ）で形成されている。主ヨーク７３及び補助ヨーク７７の周囲には、ケーシングの側壁５２ａ、５２ｂが設けられている。図４は、ボイス・コイル・モータ６７のヨーク構造を分解した組立図で、図５は、図１のＢ−Ｂ矢印で切断したヨーク構造の断面図である。ただし、説明の簡略のため、図５からはコイル・サポート６９及びボイス・コイル７１は省略している。ボイス・コイルは後に説明するヨーク・ギャップの間で自由に移動できるように配置される。
【００２４】
図４及び図５を参照してヨーク構造の詳細を説明する。ケーシング蓋５４及びケーシング本体５２は、説明の便宜上ボイス・コイル・モータの近辺に位置する部分だけを切り出して描いている。ケーシング本体５２のベース５２ｃにはヨーク領域７９が定義されている。ヨーク領域７９は、ケーシング本体５２において少なくともその部分が強磁性体で形成され、ＶＣＭ６７の磁気回路の一部になることができる領域である。ケーシング本体５２のベース５２ｃには平板状に形成された補助ヨーク７７が隣接して配置され接着材で固定されている。
【００２５】
接着材はスリーボンド社から販売され製品番号２０８７Ｆで入手することができる。補助ヨーク７７は、透磁率の高い強磁性材料で形成されており、本実施の形態では、一般冷延鋼板（ＳＰＣＣ）を採用している。補助ヨーク７７は、３カ所の係合部７７ａ〜７７ｃを含む側面を有する。補助ヨーク７７の表面に永久磁石で構成されたボイス・コイル・マグネット８１が配置され接着剤で固定されている。接着剤は、ロックタイト社から製品名称ＬＯＣＴＩＴＥ３６６として入手できる。
【００２６】
ボイス・コイル・マグネット８１は、空間に接する表面にＮ極とＳ極の二つの磁極を備えて一体に形成され、両磁極は遷移領域で区分されている。また、図５に示すように、ボイス・コイル・マグネット８１の補助ヨーク７７に接する裏面には、それぞれ表面とは逆極性の磁極が形成され、表面のＮ極からヨーク・ギャップ７６にでた磁束が主ヨーク等を通過して裏面のＳ極に入り、裏面のＮ極からでた磁束が主ヨーク等を通過してヨーク・ギャップ７６から表面のＳ極に入るように磁路が形成される。
【００２７】
主ヨーク７３は、ボイス・コイル・マグネット８１の表面に対向する対向面を備えている。主ヨークの対向面とボイス・コイル・マグネットの表面との間には、ヨーク・ギャップ７６が形成される。主ヨーク７３のヨーク脚７５ａ〜７５ｃは、組み立てられたときに補助ヨーク７７の係合部７７ａ〜７７ｃに係合する。ヨーク脚７５ａ〜７５ｃは、係合部７７ａ〜７７ｃに係合するように寸法が厳密に管理されて製作されている。その結果、組み立て工程において最初に補助ヨーク７７をベース５２ｃの所定の位置に固定しておくと、次に主ヨーク７３を組み込むときには、ヨーク脚７５ａ〜７５ｃを補助ヨーク７７の係合部７７ａ〜７７ｃに嵌め込むだけで、ベース５２ｃに対する正確な位置決めを実現することができる。
【００２８】
主ヨークの位置決めのために、従来はヨーク脚をベース５２ｃにネジ止めしていたが、ベースを貫通したネジ穴をシールするための副次的な工程を必要としていた。本実施の形態では、ヨーク脚を使って主ヨークを補助ヨークの係合部に対して嵌め込むだけでベース上での正確な位置決めをすることができる。ヨーク脚７５ａ〜７５ｃは、それぞれ補助ヨーク７７の係合部７７ａ〜７７ｃに磁気的に結合されると共に、ベース５２ｃにも磁気的に結合される。ヨーク脚７５ａ〜７５ｃは、補助ヨーク７７の上に取り付けて補助ヨークとだけ磁気的に直接結合させてもよいが、ベース５２ｃの上に取り付けることでヨーク構造の高さ方向の公差を満たす上で有利である。
【００２９】
即ち、ベース５２ｃと主ヨーク７３のケーシング蓋側の面までの高さ及びボイス・コイル・マグネット８１に対する対向面までの高さは、ケーシング蓋やコイル・サポートとの干渉を避けるため厳密に管理する必要があるが、補助ヨーク７７の上にヨーク脚７５を載せると補助ヨーク７７の加工誤差が重畳されてしまうので、直接ベース５２ｃの上に設けることが望ましい。
【００３０】
主ヨーク７３は補助ヨーク７７と同一の強磁性材料で形成されている。しかし、磁束を通過させるに適した透磁率を備える材料を使用すれば、両者の材質を異なるものの中から適宜選定することができる。本実施の形態において、ベース５２ｃの厚さは０．４ｍｍ、補助ヨーク７７の厚さは０．３ｍｍ、ボイス・コイル・マグネット８１の厚さは０．８ｍｍ、主ヨークの厚さは０．４５ｍｍ、及びヨーク・ギャップの間隔は０．８ｍｍに選定されている。
【００３１】
ヨーク・ギャップ７６にはボイス・コイル・マグネット８１によって上下に２方向の磁界が形成されている。ボイス・コイル７１はヨーク・ギャップ７６中に水平方向に自由に移動できるように配置されている。ボイス・コイルに電流が流れるとそれぞれの方向の磁界からボイス・コイルの各辺が受ける力が合成され、アクチュエータ・ヘッド・サスペンション・アセンブリ５８（図１参照）はピボット軸６１を中心に回動する。
【００３２】
ボイス・コイル７１に流れる電流の方向及び大きさを制御することでアクチュエータ・ヘッド・サスペンション・アセンブリ５８はヘッド５９を磁気ディスク５１の所定のトラック位置に位置付けることができる。ＶＣＭ６７がアクチュエータ・ヘッド・サスペンション・アセンブリ５８に所定の駆動力を与えるためには、ヨーク・ギャップ７６を通る磁束の大きさを一定値以上に確保する必要がある。
【００３３】
磁束を大きくする一つの方法は、ボイス・コイル・マグネット８１を大型化することであるが、スペースの制約を受けるのでこれには限界がある。他の方法は、ヨーク・ギャップ７６を通過する磁束の通路となる磁気回路全体の磁気抵抗を小さくすることである。磁気抵抗は、ヨーク・ギャップ７６とヨークで発生する。ヨーク・ギャップ７６は、中にヨーク・コイルが配置されなければならないので縮小化が制限される。ヨークの磁気抵抗は、ヨーク材の透磁率と断面積で決まる。
【００３４】
本実施の形態においてヨークは、主ヨーク７３、ヨーク脚７５、補助ヨーク７７、及びベース５２ｃで構成される。ベース５２ｃは、強磁性材料で形成されており透磁率は大きいが、板厚が薄く断面積が足りないため、磁束が飽和して十分に磁束を通過させることができず、単独ではＶＣＭの磁気回路に適さない。そこで本実施の形態では、補助ヨーク７７がベース５２ｃと共に磁束の通路となる磁気回路を提供し、磁気抵抗を低減している。
【００３５】
ボイス・コイル・マグネット８１のＮ極からヨーク・ギャップ７６に放出された磁束は、主ヨーク７３の対向面を貫通して内部に入り、ヨーク脚７５ａ〜７５ｃに分流する。ケーシング蓋５４は非磁性材料で形成されているため、ほとんど磁束は通過しない。ケーシング蓋は、磁束の通路にならなくても主ヨークで十分に磁気回路を構成できる。よって、主ヨーク７３とケーシング蓋５４とは、磁気的に結合されている必要がない。それぞれのヨーク脚を通過する磁束の一部は補助ヨーク７７の側面を通じて補助ヨーク内部に流入しボイス・コイル・マグネット８１のＳ極に戻る。残りの磁束はヨーク脚の底部からベース５２ｃの内部に流入し、補助ヨークを通過してボイス・コイル・マグネット８１のＳ極に戻る。ヨーク・ギャップ７６からボイス・コイル・マグネットのＳ極に入る磁束は、Ｎ極からヨーク・ギャップに放出された磁束と逆方向の経路でＮ極まで戻る。
【００３６】
本実施の形態では、従来のヨーク構造で採用されていた下部に配置される専用のヨークを取り去り、補助ヨークとケーシング本体とを磁気回路の一部に組み込んだことで、専用の下部ヨークより薄い補助ヨークを採用することができ、ヨーク構造全体の高さを低くすることができる。
【００３７】
本発明の思想において、補助ヨーク７７はケーシング本体５２に対して磁気的に結合された状態で配置されていればよいので、ベース５２ｃに隣接させて接着剤以外の方法、例えばネジ、嵌め込み構造などで固定してもよい。また、主ヨーク７３がベース５２ｃに対してネジ止め構造などで固定され、主ヨークの位置を基準にしてヨーク脚７５と係合部７７とで補助ヨークの位置を画定できるならば、補助ヨーク７７はベース５２ｃに固定しないでもよい。
【００３８】
補助ヨークに関して重要な点は、ベース５２ｃに磁気的に結合されてボイス・コイル・マグネット８１で生成された磁束が通り易い磁気回路を形成することにある。そのために補助ヨーク７７は、磁気飽和をきたさないように断面積を所定値以上にすることと、補助ヨーク７７とベース５２ｃとの磁気的結合を十分に行うことである。
【００３９】
磁気的結合を強化するには、補助ヨーク７７とベース５２ｃとの接合面にエア・ギャップを形成しないようにすることであり、両者がそれぞれ所定の面積以上相互に平滑な面で接触できるように加工しておくことが望ましい。本実施の形態では、ケーシング蓋５４を磁気回路の一部に組み込んでいないが、ケーシング本体を磁気回路の一部に使用するという本発明の思想からは、ケーシング蓋５４を強磁性材料で製作して磁気回路の一部として使用する方法も含めて多くの他の実施の形態が考えられるので、以下、図６以降を参照しながらこれらを説明する。
【００４０】
図６は、本発明の第２の実施の形態を説明するためのヨーク構造の断面図である。図６に示したヨーク構造は、主ヨーク及び補助ヨークを一切採用しないですべてケーシング本体の一部に定義されたヨーク領域１０３及びケーシング蓋の一部に定義されたヨーク領域１０１で磁気回路を構成した例である。ヨーク領域１０３とヨーク領域１０１はＶＣＭ６７の磁気回路の一部として利用するために、ケーシング本体全体又はケーシング蓋全体の中で少なくとも強磁性材料で形成される領域で、ＶＣＭ６７の近辺に設定される。
【００４１】
ヨーク領域１０３、１０１は、ケーシング本体又はケーシング蓋において、その部分だけが磁束が通過する領域であると解釈すべきではない。ヨーク領域は、ケーシング本体又はケーシング蓋全体の中で、ＶＣＭのために磁束の通路として構成された領域である。さらにヨーク領域はケーシング本体又はケーシング蓋全体がボイス・コイルのための磁束の通路として適当な材料及び断面積で形成されていれば、ＶＣＭのために必要な磁束が通過する範囲といえる。
【００４２】
図３に示したＶＣＭの近辺に存在するケーシング本体のケーシング側壁５２ａ、５２ｂを強磁性材料で形成することにより、ヨーク領域１０３とヨーク領域１０１とを連絡する磁気回路として使用することができる。この場合、ヨーク領域１０３、１０１はケーシング側壁と磁気的に結合されている必要がある。さらに、強磁性材料で形成された連絡ヨーク１０７ａ、１０７ｂでヨーク領域１０３とヨーク領域１０１とを磁気的に結合してもよい。ヨーク領域１０３、１０１は、磁束が飽和しないだけの断面積と所定の透磁率を備えた材料で形成する。この結果ケーシング以外の専用のヨークを使用しないでＶＣＭの磁気回路を形成することができ、磁気ディスク装置の一層の薄型化を図ることができるヨーク構造が実現できる。
【００４３】
図６（Ａ）では、マグネット１０５がヨーク領域１０３の内面に取り付けられ、マグネットの表面とヨーク領域１０１の内面との間にヨーク・ギャップ１０９が形成される。図６（Ｂ）は、マグネット１０５がヨーク領域１０１の内面に取り付けられ、マグネット１０５の表面とヨーク領域１０３の内面との間にヨーク・ギャップ１０９が形成される。
【００４４】
図６（Ｃ）は、マグネットがマグネット１０５ａとマグネット１０５ｂの二つで構成され、マグネット１０５ａがヨーク領域１０１の内面に取り付けられ、マグネット１０５ｂがヨーク領域１０３の内面に取り付けられる。マグネット１０５ａの表面とマグネット１０５ｂの表面との間にヨーク・ギャップ１０９が形成される。図６（Ａ）〜図６（Ｃ）において、ヨーク・ギャップ１０９には、アクチュエータ・ヘッド・サスペンション・アセンブリに保持されたマグネットが配置される。
【００４５】
図７は、本発明の第３の実施の形態を説明するためのヨーク構造の断面図である。図７（Ａ）〜図７（Ｆ）に示す実施の形態は、ケーシング蓋のヨーク領域２０１、２１１、２２１又はケーシング本体のヨーク領域２０３、２１３、２２３が強磁性材料で形成されてはいるが、板厚が薄く断面積が小さいために単独では磁気回路に適さない場合であって、他の領域より厚く形成してケーシング蓋又はケーシング本体をＶＣＭの磁気回路に適合する構成にしている。
【００４６】
図７（Ａ）、図７（Ｂ）においては、ケーシング蓋のヨーク領域２０１に磁気回路を形成するための他の領域より厚く形成された領域２０１ａが形成されている。ケーシング蓋は全体を強磁性材料で一体に形成すれば、他の領域より厚く形成された領域２０１ａ以外の部分にも磁束は流れるが、他の領域より厚く形成された領域２０１ａによりＶＣＭに適した磁束を通過させることができる磁気回路が形成される。ケーシング本体は、ヨーク領域２０３を含めてベース全体が均一な厚さで強磁性材料で形成されている。
【００４７】
ヨーク領域２０１とヨーク領域２０３との間は、連絡ヨーク２０７ａ、２０７ｂで磁気的に結合され磁気回路が形成される。連絡ヨーク２０７ａ、２０７ｂは強磁性材料で形成されてＶＣＭの磁気回路に適した断面積を備えている。連絡ヨークの一端はヨーク領域２０３の内面に磁気的に結合され、他端が他の領域より厚く形成された領域２０１ａの側面と肉厚の薄い領域の表面に磁気的に結合されるように取り付けられる。連絡ヨーク２０７ａ、２０７ｂの他端は、他の領域より厚く形成された領域２０１ａの表面だけに磁気的に直接結合されるように構成してもよい。
【００４８】
図７（Ａ）ではマグネット２０５がヨーク領域２０３の内面に取り付けられてヨーク・ギャップ２０９がマグネット２０５の表面と他の領域より厚く形成された領域２０１ａの表面との間に形成され、図７（Ｂ）ではマグネット２０５が他の領域より厚く形成された領域２０１ａに取り付けられてヨーク・ギャップ２０９がマグネット２０５の表面とヨーク領域２０３の内面との間に形成された状態を示している。図７（Ａ）、図７（Ｂ）の例に係わらず、マグネットをヨーク領域２０３の内面と他の領域より厚く形成された領域２０１ａの表面との両方に取り付けてもよい。
【００４９】
図７（Ｃ）、図７（Ｄ）には、ケーシング本体の板厚が薄くその状態ではＶＣＭの磁気回路に適合しないため、ヨーク領域２１３に他の領域より厚く形成された領域２１３ａが形成されている。ケーシング本体が強磁性材料で一体に形成されていれば、他の領域より厚く形成された領域以外の部分にも磁束は流れるが、他の領域より厚く形成された領域２１３ａを大部分の磁束が通る。ケーシング蓋はヨーク領域２１１を含めて全体が強磁性材料で均一の厚さに形成されている。
【００５０】
ヨーク領域２１１とヨーク領域２１３との間は、連絡ヨーク２１７ａ、２１７ｂで磁気的に結合され磁気回路が形成される。連絡ヨーク２１７ａ、２１７ｂは強磁性材料で形成され、一端がヨーク領域２１１の内面に磁気的に結合され、他端が他の領域より厚く形成された領域２１３ａの側面と肉厚の薄い領域の表面に磁気的に結合されるように取り付けられる。連絡ヨーク２１７ａ、２１７ｂの他端は、他の領域より厚く形成された領域２１３ａの表面だけに磁気的に直接結合されるように取り付けてもよい。
【００５１】
図７（Ｃ）ではマグネット２１５がヨーク領域２１１の内面に取り付けられてヨーク・ギャップ２１９がマグネット２１５の表面と他の領域より厚く形成された領域２１３ａの表面との間に形成され、図７（Ｄ）ではマグネット２１５が他の領域より厚く形成された領域２１３ａの表面に取り付けられてヨーク・ギャップ２１９がヨーク領域２１１の内面とマグネット２１５の表面との間に形成されている状態を示している。
【００５２】
連絡ヨークは、所定の断面積と透磁率が適当に選択され磁気抵抗が所定値以内であれば、棒状でも壁状でもよい。図７（Ｃ）、図７（Ｄ）に係わらず、マグネットをヨーク領域２１１の内面と他の領域より厚く形成された領域２１３ａの表面との両方に取り付けてもよい。図７（Ｅ）、図７（Ｆ）では、ケーシング本体及びケーシング蓋のそれぞれの板厚が薄いため、ＶＣＭの磁気回路としては適さない。よって、ヨーク領域２２３、２２１のそれぞれに磁気回路を形成するための他の領域より厚く形成された領域２２３ａ、２２１ａが形成されている。
【００５３】
ヨーク領域２２１とヨーク領域２２３との間は、連絡ヨーク２２７ａ、２２７ｂで磁気的に結合され磁気回路が形成される。連絡ヨーク２２７ａ、２２７ｂは強磁性材料で形成され、一端が他の領域より厚く形成された領域２２１ａの側面と肉厚の薄い領域の表面に磁気的に結合され、他端が他の領域より厚く形成された領域２２３ａの側面と肉厚の薄い領域の表面に磁気的に結合されるように取り付けられる。図７（Ｅ）、図７（Ｆ）の例に係わらす、連絡ヨーク２２７ａ、２２７ｂの一端が他の領域より厚く形成された領域２２１の表面だけに磁気的に直接結合され、他端が他の領域より厚く形成された領域２２３ａの表面だけに磁気的に直接結合されるように取り付けてもよい。
【００５４】
図７（Ｅ）ではマグネット２２５が他の領域より厚く形成された領域２２３ａの表面に取り付けられてヨーク・ギャップ２２９が他の領域より厚く形成された領域２２１ａの表面とマグネット２２５の表面との間に形成され、図７（Ｆ）ではマグネット２２５が他の領域より厚く形成された領域２２１ａの表面に取り付けら、ヨーク・ギャップ２２９がマグネット２２５の表面と他の領域より厚く形成された領域２２１ａの表面との間に形成されている状態を示している。図７（Ｅ）、図７（Ｆ）の例に係わらず、マグネットを他の領域より厚く形成された領域２２１ａの表面と他の領域より厚く形成された領域２２３ａの表面との両方に取り付けてもよい。
【００５５】
図７（Ａ）〜図７（Ｆ）に示したヨーク構造では、図６を参照して説明したように専用のヨークを排除してケーシング蓋及びケーシング本体を磁気回路として利用する場合に、ケーシング本体又はケーシング蓋全体を磁気回路に適した厚さにする必要がなく、磁気ディスク全体の高さの縮小や材料の削減を図ることができる。また、補助ヨークのような別部品を用意して磁気回路を構成する必要がない。
【００５６】
図８は、本発明の第４の実施の形態を説明するためのヨーク構造の断面図である。図８（Ａ）〜図８（Ｄ）に示す実施の形態は、ケーシング蓋のヨーク領域３０１、４０１が強磁性材料で形成されてはいるが、板厚が薄くて断面積が不足するため単独では磁気回路に適さない場合に、補助ヨーク３１１、４１１を追加して磁気回路に適合する構成にしている。補助ヨーク３１１、４１１は強磁性材料で平板状に形成されているが、ケーシング蓋と共に磁気回路を形成するので専用のヨークに比べて薄くてよい。
【００５７】
図８（Ａ）、図８（Ｂ）においては、ケーシング蓋のヨーク領域３０１の内面に補助ヨーク３１１が取り付けられヨーク領域３０１と補助ヨーク３１１の両方で磁気回路を構成している。ケーシング本体は、ヨーク領域３０３を含めて、全体が強磁性材料で均一の厚さに形成されている。ケーシング蓋のヨーク領域３０１とケーシング本体のヨーク領域３０３との間は、連絡ヨーク３０７ａ、３０７ｂで磁気的に結合されている。連絡ヨークは一端がヨーク領域３０１の内面と補助ヨーク３１１の側面に磁気的に結合され、他端がヨーク領域３０３の表面に磁気的に結合されて取り付けられている。連絡ヨークの一端は補助ヨーク３１１の表面だけに磁気的に直接結合されるように取り付けてもよい。
【００５８】
図８（Ａ）ではマグネット３０５がヨーク領域３０３の内面に取り付けられてヨーク・ギャップ３０９が補助ヨーク３１１の表面とマグネット３０５の表面との間に形成され、図８（Ｂ）ではマグネット３０５が補助ヨーク３１１の表面に取り付けられてヨーク・ギャップ３０９がマグネット３０５の表面とヨーク領域３０３の内面との間に形成された状態が示されている。マグネット３０５から放出された磁束は、補助ヨーク３１１、ヨーク領域３０１、連絡ヨーク３０７ａ、３０７ｂ、ヨーク領域３０３、ヨーク・ギャップ３０９をそれぞれ通過する。
【００５９】
図８（Ｃ）、図８（Ｄ）では、さらにケーシング本体のヨーク領域４０３に他の領域より厚く形成された領域４０３ａが形成されている。ヨーク領域４０１とヨーク領域４０３との間は、連絡ヨーク４０７ａ、４０７ｂで磁気的に結合される。連絡ヨーク４０７ａの一端は他の領域より厚く形成された領域４０３ａの側面と肉厚の薄い領域の表面とに磁気的に結合され、他端はヨーク領域４０１の内面と補助ヨーク４１１の側面に磁気的に結合されるように取り付けられる。連絡ヨーク４０７ａの一端は他の領域より厚く形成された領域４０３ａの表面だけに磁気的に直接結合され、他端は補助ヨーク４１１の表面だけに磁気的に直接結合されるように取り付けてもよい。
【００６０】
図８（Ｃ）では、マグネット４０５が補助ヨーク４１１の表面に取り付けられてヨーク・ギャップ４０９がマグネット４０５の表面と他の領域より厚く形成された領域４０３ａの表面との間に形成され、図８（Ｄ）では、マグネット４０５が他の領域より厚く形成された領域４０３ａの表面に取り付けられてヨーク・ギャップ４０９が、マグネット４０５の表面と補助ヨーク４１１の表面との間に形成される。
【００６１】
図８で示したように、ケーシング蓋に磁気的に結合された補助ヨークを使ってケーシング蓋と補助ヨークとで分担して磁束を通過させて磁気回路を形成することで、ケーシング蓋を全体として薄く製作することができ、ヨーク領域に部分的に他の領域より厚く形成された領域を形成するよりもケーシング蓋の製造が容易である。
【００６２】
図９は、本発明の第５の実施の形態を説明するためのヨーク構造の断面図である。図９（Ａ）〜図９（Ｄ）に示す実施の形態は、ケーシング本体のヨーク領域５０３、６０３が強磁性材料で形成されてはいるが、板厚が薄くて断面積が不足するため単独では磁気回路に適さない場合に、強磁性材料で平板状に形成された補助ヨーク５１１、６１１を追加して磁気抵抗に適合する構成にしている。
【００６３】
図９（Ａ）、図９（Ｂ）においては、ケーシング本体のヨーク領域５０３の内面に補助ヨーク５１１が取り付けられている。ケーシング蓋はヨーク領域５０１を含めて、強磁性材料で全体が均一の厚さに形成されている。ケーシング本体のヨーク領域５０３とケーシング蓋のヨーク領域５０１との間は、連絡ヨーク５０７ａ、５０７ｂで磁気的に結合されている。連絡ヨーク５０７ａ、５０７ｂは一端がヨーク領域５０３の内面と補助ヨーク５１１の側面に磁気的に結合され、他端がヨーク領域５０１の内面に磁気的に結合されて取り付けられる。連絡ヨーク５０７ａ、５０７ｂの一端は補助ヨーク５１１の表面だけに磁気的に直接結合されるようにしてもよい。
【００６４】
図９（Ａ）ではマグネット５０５がヨーク領域５０１に取り付けられてヨーク・ギャップ５０９が補助ヨーク５１１の表面とマグネット５０５の表面との間に形成され、図９（Ｂ）ではマグネット５０５が補助ヨーク５１１の表面に取り付けられてヨーク・ギャップ５０５がマグネット５０５の表面とヨーク領域５０１の内面との間に形成された状態が示されている。マグネット５０５から放出された磁束は、補助ヨーク５１１、ヨーク領域５０３、連絡ヨーク５０７ａ、５０７ｂ、ヨーク領域５０１、ヨーク・ギャップ５０９をそれぞれ通過する。
【００６５】
図９（Ｃ）、図９（Ｄ）は、さらにケーシング蓋のヨーク領域６０１に他の領域より厚く形成された領域６０１ａが形成されている。ヨーク領域６０１とヨーク領域６０３との間は、連絡ヨーク６０７ａ、６０７ｂで磁気的に結合される。連絡ヨーク６０７ａの一端は他の領域より厚く形成された領域６０１ａの側面と肉厚の薄い領域の表面に磁気的に結合され、他端はヨーク領域６０３の内面と補助ヨーク６１１の側面に磁気的に結合されるように取り付けられる。連絡ヨーク６０７ａ、６０７ｂの一端は他の領域より厚く形成された領域６０１ａの表面だけに磁気的に直接結合され、他端は補助ヨーク６１１の表面だけに磁気的に直接結合されるように取り付けてもよい。
【００６６】
図９（Ｃ）では、マグネット６０５が補助ヨーク６１１の表面に取り付けられてヨーク・ギャップ６０９がマグネット６０５の表面と他の領域より厚く形成された領域６０１ａの表面との間に形成され、図９（Ｄ）では、マグネット６０５が他の領域より厚く形成された領域６０１ａの表面に取り付けられてヨーク・ギャップ６０９が、マグネット６０５の表面と補助ヨーク６１１の表面との間に形成される。
【００６７】
図９で示したように、ケーシング本体に磁気的に結合された補助ヨークを使ってケーシング本体と補助ヨークとで分担して磁束を通過させるような磁気回路にすると、ケーシング本体を全体として薄く製作することができ、ヨーク領域に部分的に他の領域より厚く形成された領域を形成するよりもケーシング本体の製造が容易である。
【００６８】
図１０は、本発明の第６の実施の形態を説明するためのヨーク構造の断面図である。図１０の実施の形態では、主ヨーク７１１、７３１を設けることでケーシング蓋７０１、７３１を磁気回路として使用せず、従ってケーシング蓋を非磁性材料で形成することができる。図１０（Ａ）は、図２〜図５を参照して説明した実施の形態と同一の構造である。
【００６９】
図１０（Ａ）、図１０（Ｂ）のヨーク構造は、主ヨーク７１１、主ヨークの一部を折り曲げ加工で形成したヨーク脚７１１ａ、７１１ｂ、マグネット７０５、補助ヨーク７０７、及びケーシング本体のヨーク領域７０３で構成され、これらは強磁性材料で形成される。ケーシング本体全体を強磁性材料で形成する必要はなく、少なくともヨーク領域７０３が磁気回路の一部として利用できるように強磁性材料で形成されていればよい。主ヨーク７１１はマグネット７０５の表面に対向する対向面を有し、ヨーク脚７１１ａ、７１１ｂで補助ヨーク７０７の側面及びヨーク領域７０３の内面に磁気的に結合されている。ヨーク脚７１１ａ、７１１ｂは、補助ヨーク７０７の表面だけに磁気的に直接結合されるように取り付けてもよい。
【００７０】
ヨーク脚７１１a、７１１ｂは、主ヨークの対向面付近の領域とは別個の部材で形成してもよい。図１０（Ａ）では、マグネット７０５が補助ヨーク７０７に取り付けられヨーク・ギャップ７０９が主ヨーク７１１の対向面とマグネット７０５の表面との間に形成され、図１０（Ｂ）では、マグネット７０５が主ヨーク７１１の対向面に取り付けられ、ヨーク・ギャップ７０９は、マグネット７０５の表面と補助ヨーク７０７の表面との間に形成される。
【００７１】
マグネット７０５から放出された磁束は、主ヨーク７１１、ヨーク脚７１１ａ、７１１ｂ、補助ヨーク７０７、ヨーク領域７０３、ヨーク・ギャップ７０９を通過する。ヨーク脚７１１ａ、７１１ｂを流れる磁束は、補助ヨーク７０７とヨーク領域７０３とに分流するため、ハウジング本体の板厚が薄くても磁気飽和をきたすことはない。
【００７２】
図１０（Ｃ）、図１０（Ｄ）のヨーク構造は、図１０（Ａ）、図１０（Ｂ）で説明したヨーク構造に対してケーシング本体のヨーク領域７２３に他の領域より厚く形成された領域７２３ａを形成した点で異なっている。主ヨーク７３１は対向面を有し、ヨーク脚７３１ａ、７３１ｂで、ヨーク領域７２３に形成した他の領域より厚く形成された領域７２３ａの側面と肉厚の薄い領域の表面に磁気的に結合されている。ヨーク脚７３１ａ、７３１ｂは、他の領域より厚く形成された領域７２３ａの表面だけに磁気的に直接結合されるように取り付けてもよい。
【００７３】
図１０（Ｃ）ではマグネット７２５が他の領域より厚く形成された領域７２３ａの表面に取り付けられて、ヨーク・ギャップ７２９が主ヨークの対向面とマグネット７２５の表面との間に形成され、図１０（Ｄ）ではマグネット７２５が主ヨークの対向面に取り付けられ、ヨーク・ギャップ７２９がマグネット７２５の表面と他の領域より厚く形成された領域７２３ａの表面との間に形成される。
【００７４】
マグネット７２５から放出された磁束は、主ヨーク７３１、ヨーク脚７３１ａ、７３１ｂ、他の領域より厚く形成された領域７２３ａ、ヨーク・ギャップ７２９を通過する。ヨーク脚７３１ａ、７３１ｂを流れる磁束は、他の領域より厚く形成された領域７２３ａを通過するためハウジング本体の全体の板厚が薄くても磁気飽和をきたすことはない。ヨーク脚７１１ａ、７１１ｂ、７３１ａ、７３１ｂを補助ヨーク７０７の側面又は他の領域より厚く形成された領域７２３ａの側面に勘合するように取り付けると、補助ヨーク又は他の領域より厚く形成された領域をケーシング本体に対して位置決めしておけば、主ヨークを取り付ける際に位置決めをする工程を省くことができる。
【００７５】
図１０に示した各実施の形態では、ケーシング蓋を磁気回路に使用する必要がなく、一方ケーシング本体を磁気回路に利用するので、ヨーク構造全体の高さを低くすることができる。これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【産業上の利用可能性】
【００７６】
アクチュエータ・アセンブリを備えた回転円板形記憶装置全般において利用できる。
【図面の簡単な説明】
【００７７】
【図１】従来の磁気ディスク装置におけるＶＣＭのヨーク構造を示す図である。
【図２】本発明の実施の形態に係る磁気ディスク装置５０の概略を示す平面図である。
【図３】磁気ディスク装置５０の組立図である
【図４】ボイス・コイル・モータ６７のヨーク部を分解した図である。
【図５】図１のＡ−Ａ矢印で切断したヨーク部の組み立て後の断面図である。
【図６】本発明の第２の実施の形態を説明するためのヨーク構造の断面図である。
【図７】本発明の第３の実施の形態を説明するためのヨーク構造の断面図である。
【図８】本発明の第４の実施の形態を説明するためのヨーク構造の断面図である。
【図９】本発明の第５の実施の形態を説明するためのヨーク構造の断面図である。
【図１０】本発明の第６の実施の形態を説明するためのヨーク構造の断面図である。
【符号の説明】
【００７８】
５０  磁気ディスク装置
５１  磁気ディスク
５２  ケーシング本体
５３  スピンドル軸
５４  ケーシング蓋
５５  ヘッド・サスペンション・アセンブリ（ＨＳＡ）
５６  ランプ
５７  アクチュエータ・アセンブリ
５８  アクチュエータ・ヘッド・サスペンション・アセンブリ
５９  ヘッド
６１  ピボット軸
６３  フレキシブル・プリント回路基板（ＦＰＣ）
６５  半導体装置
６７  ボイス・コイル・モータ（ＶＣＭ）
６９  コイル・サポート
７１  ボイス・コイル
７３  主ヨーク
７５  ヨーク脚
７６  ヨーク・ギャップ
７７  補助ヨーク
７９  ヨーク領域
８１  ボイス・コイル・マグネット
【図１】
2005085436.tif 000003
【図２】
2005085436.tif 000004
【図３】
2005085436.tif 000005
【図４】
2005085436.tif 000006
【図５】
2005085436.tif 000007
【図６】
2005085436.tif 000008
【図７】
2005085436.tif 000009
【図８】
2005085436.tif 000010
【図９】
2005085436.tif 000011
【図１０】
2005085436.tif 000012